(57)【要約】【課題】複数のセキュリティレベルから動作するレベルを選択でき適正に不正使用による情報漏洩を防止できるスキャナのセキュリティ方法を提供することである。【解決手段】スキャナとそのスキャナに接続されるパソコンとの関係の正当性を判定するための複数のセキュリティレベルを予め用意しておき、スキャナの操作パネルから複数のセキュリティレベルのうちから一つを選択して設定し、その設定されたセキュリティレベルでスキャナのセキュリティを確保する。これより、スキャナが接続されるシステムに応じて適正に不正使用による情報の漏洩を防止でき、スキャナの汎用性を妨げない範囲で不正使用による情報の漏洩を防止できる。【選択図】図１
2007166128.tif 000002
【特許請求の範囲】
【請求項１】
スキャナとそのスキャナに接続されるパソコンとの関係の正当性を判定するための複数のセキュリティレベルを予め用意しておき、
前記スキャナの操作パネルから複数のセキュリティレベルのうちから一つを選択して設定し、
その設定されたセキュリティレベルで前記スキャナのセキュリティを確保することを特徴とするスキャナのセキュリティ方法。
【請求項２】
前記セキュリティレベルの少なくとも一つは、使用するソフトウェアにより使用できる機能を制限する機構を持つことを特徴とする請求項１記載のスキャナのセキュリティ方法。
【発明の詳細な説明】
【技術分野】
【０００１】
本発明は、スキャナのセキュリティを確保するスキャナのセキュリティ方法に関する。
【背景技術】
【０００２】
イメージ処理システムなどに使用される業務用スキャナは、制御ＰＣとの接続にＳＣＳＩを使用している。制御ＰＣはハイスペックのデスクトップＰＣが使用され、スキャナと制御ＰＣを接続するケーブルは専用ケーブルが使用されており、自分で持ち込んだ制御ＰＣに接続するなど、容易にスキャナの接続を変更することはできない。システム全体は制御ＰＣのＯＳが提供するパスワード、もしくは業務ＡＰＬ起動時に入力するパスワードなどによりセキュリティが確保されている。このように、イメージ処理システムなどに使用される業務用スキャナは、従来は制御ＰＣとの接続にＳＣＳＩインターフェイスなど使用してイメージの高速転送を実現してきた。
【０００３】
近年、ＵＳＢなど高速なシリアルインターフェイスが普及するにつれ、これらのポートを装備する業務用スキャナが発売されはじめている。ＵＳＢはＳＣＳＩのようにＳＣＳＩアダプタカードやＳＣＳＩケーブルなどが必要なく、ＰＣに標準装備されたＵＳＢポートに市販のケーブルを接続するだけで簡単に接続できる。
【０００４】
このように、高速なシリアルインターフェイスが普及するにつれ、業務用のスキャナでもＵＳＢポートを持った機種が登場し、ＰＣもノートブック型、デスクトップ形から携帯端末にいたるまでＵＳＢポートを標準に装備する機種が発売されている。スキャナの制御に必要なデバイスドライバは各メーカのＷＥＢサイトからダウンロード可能であり、制御ソフトウェアはプレインストールされているイメージングソフトウェアを使用することが可能である。
【０００５】
イメージ処理システムではクレジットカードの申込書などに代表されるように、個人情報が記載されている帳票を処理することが少なくない。イメージ処理システムの不正使用、情報漏洩を防止するため、制御ＰＣのＯＳもしくは業務ＡＰＬ（アプリケーション）が要求するパスワード入力に加え、スキャナ自体が不正使用されないようなセキュリティを提供することが必要となっている。
【０００６】
ここで、イメージ情報のセキュリティを向上させるために、採取したイメージ情報に対するディジタル署名をスキャナもしくはパソコンで個別管理により行うようにしたものがある（例えば、特許文献１参照）。
【特許文献１】特開２００１−３３９５４３号公報
【発明の開示】
【発明が解決しようとする課題】
【０００７】
しかし、従来のものでは、採取したイメージ情報に対するディジタル署名をスキャナもしくはパソコンで個別管理により行うので、一応、セキュリティは確保できるが、スキャナが接続されているシステムによってセキュリティレベルを容易に選択することができない。
【０００８】
本発明の目的は、複数のセキュリティレベルから動作するレベルを選択でき適正に不正使用による情報漏洩を防止できるスキャナのセキュリティ方法を提供することである。
【課題を解決するための手段】
【０００９】
請求項１の発明に係わるスキャナのセキュリティ方法は、スキャナとそのスキャナに接続されるパソコンとの関係の正当性を判定するための複数のセキュリティレベルを予め用意しておき、前記スキャナの操作パネルから複数のセキュリティレベルのうちから一つを選択して設定し、その設定されたセキュリティレベルで前記スキャナのセキュリティを確保することを特徴とする。
【００１０】
請求項２の発明に係わるスキャナのセキュリティ方法は、請求項１の発明において、前記セキュリティレベルの少なくとも一つは、使用するソフトウェアにより使用できる機能を制限する機構を持つことを特徴とする。
【発明の効果】
【００１１】
本発明によれば、複数のセキュリティレベルが設定可能であるので、スキャナが接続されるシステムに応じて適正に不正使用による情報の漏洩を防止できる。また、セキュリティレベルの少なくとも一つは、使用するソフトウェアにより使用できる機能を制限する機構を持つので、スキャナの汎用性を妨げない範囲で不正使用による情報の漏洩を防止できる。
【発明を実施するための最良の形態】
【００１２】
以下、本発明の実施の形態を説明する。図１は本発明の実施の形態に係わるスキャナのセキュリティ方法の内容を示すフローチャートである。図１において、まず、複数のセキュリティレベルを予め用意しておき（Ｓ１）、その複数のセキュリティレベルのうちから一つを選択してセキュリティレベルを設定する（Ｓ２）。そして、その設定されたセキュリティレベルでスキャナのセキュリティを確保する（Ｓ３）。セキュリティレベルは、スキャナとそのスキャナに接続されるパソコンとの関係の正当性を判定するためのセキュリティのレベルを定めたものであり、セキュリティレベルの設定は、スキャナの操作パネルから選択して設定される。
【００１３】
図２はスキャナの操作パネルの平面図である。スキャナの操作パネル１１は表示部１２と複数個の押しボタンスイッチ１３とを有している。図２では、２個の押しボタンスイッチ１３ａ、１３ｂを備えたものを示している。表示部１２は、例えば液晶パネル等から構成される。また、テンキーを設けるようにしてもよい。
【００１４】
スキャナの操作パネル１１はスキャナとのユーザインターフェイスとなっており、通常、スキャナの操作パネル１１の表示部１２にエラーコードの表示や動作状態を表示してユーザに通知するとともに、ユーザからは押しボタンスイッチ１３ａ、１３ｂを介してスキャナに情報を入力する。
【００１５】
押しボタンスイッチ１３ａ、１３ｂからスキャナを接続するインターフェースであるＳＣＳＩのアドレス設定やターミネーションのＯＦＦ／ＯＮなどの各種の初期設定が行われる。この押しボタンスイッチ１３ａ、１３ｂの入力設定機能を拡張することによりセキュリティレベルを設定する。このセキュリティレベルの設定はパスワードにより保護される。
【００１６】
図３はセキュリティを設定する際に操作パネルの表示部に表示される表示内容の説明図である。操作パネルの表示部１２には、まずショキセッテイ画面１２Ａが表示される。このショキセッテイ画面１２Ａからセキュリティの初期設定を行う場合には押しボタンスイッチＳＷ１を選択する。一方、セキュリティの初期設定を行わない場合（次のメニュへ進む場合）には押しボタンスイッチＳＷ２を押下する。
【００１７】
いま、セキュリティの初期設定を行うべく押しボタンスイッチＳＷ１を選択したとする。そうすると、操作パネルの表示部１２にはパスワード入力画面１２Ｂが表示される。カーソルはパスワード入力画面１２Ｂの一桁目に位置し、押しボタンスイッチＳＷ１を押すたびに、数字がインクリメントされる。希望の数字が表示されたときに押しボタンスイッチＳＷ２を押すと一桁目の値が決まり、カーソルが２桁目に移動する。以下、同じ手順で４桁の数字を入力する。４桁目で押しボタンスイッチＳＷ２を押したときに４桁のパスワードの値が入力される。パスワードが正しいときショキセッテイメニュ画面１２Ｃが表示される。
【００１８】
いま、セキュリティレベルはセキュリティレベル１、２であるとする。ショキセッテイメニュ画面１２Ｃにはセキュリティレベル１が表示される。この状態で押しボタンスイッチＳＷ１を押せばセキュリティレベル１が設定され、セキュリティレベル設定が完了する。一方、押しボタンスイッチＳＷ２を押すと次のショキセッテイメニュ画面１２Ｄに移行する。
【００１９】
ショキセッテイメニュ画面１２Ｄにはセキュリティレベル２が表示され、この状態で押しボタンスイッチＳＷ１を押せばセキュリティレベル２が設定され、セキュリティレベル設定が完了する。一方、押しボタンスイッチＳＷ２を押すと元のショキセッテイメニュ画面１２Ｃに移行する。このようにして、セキュリティレベルを選択して設定する。
【００２０】
次に、セキュリティレベルについて説明する。いま、複数のセキュリティレベルとして、下記に示す４個のセキュリティレベル１、２、３、４を考える。
【００２１】
（１）セキュリティレベル１
ＰＣにプレインストールされたイメージングソフトウェアなどで使用可能とする。制限を設けない場合である。どのＰＣでも接続可能であり、市販のイメージングソフトウェアやＰＣにプレインストールされているイメージングソフトウェアでスキャナが制御可能とする。
【００２２】
（２）セキュリティレベル２
専用の制御ＡＰＬのみで使用可能とする。プレインストールされたイメージングソフトウェアなどの使用を制限する。どのＰＣでも接続可能ではあるが、市販のイメージングソフトウェアやＰＣにプレインストールされているイメージングソフトウェアではスキャナは動作しない。専用の制御ＡＰＬが発行するコマンドやコマンドシーケンスで動作する。
【００２３】
（３）セキュリティレベル３
特定のＰＣの専用の制御ＡＰＬのみで使用可能とする。セキュリティレベル２に加え、特定のＰＣの専用の制御ＡＰＬに制限する。つまり、セキュリティレベル２の制限に加えて、特定のＰＣでの接続でのみ動作する。特定のＰＣの識別は、制御ＡＰＬから発行されるコマンドに付加した制御ＰＣ固有の情報で判断する。
【００２４】
（４）セキュリティレベル４
特定のＰＣの専用の制御ＡＰＬで、ある時間内のみで使用可能とする。セキュリティレベル３に加え、使用時間に制限を加える。つまり、セキュリティレベル３の制限に加えて、スキャナの動作時間を指定する。例えば、８：００〜１９：００を動作時間に設定すれば、真夜中（例：０２：００）に忍び込んだ不審者は使用することができない。
【００２５】
ここで、使用するソフトウェアにより使用できる機能を制限するようにしてもよい。例えば、表１に示すように、スキャナに表１にような機能および許可ステータスを管理する機構を持たせ、制御するソフトウェアにより使用可能な機能を制限する。
【表１】
2007166128.tif 000003
【００２６】
第１の実施の形態によれば、複数のセキュリティレベルから動作するレベルを選択する機能を持ち、制御ソフトウェアにより使用できる機能を制限する機能を持つので、スキャナが接続されるシステムに応じて適正に不正使用による情報の漏洩を防止でき、スキャナの汎用性を妨げない範囲で不正使用による情報の漏洩を防止できる。
【図面の簡単な説明】
【００２７】
【図１】本発明の実施の形態に係わるスキャナのセキュリティ方法の内容を示すフローチャート。
【図２】本発明の実施の形態に係わるスキャナのセキュリティ方法を適用するスキャナの操作パネルの平面図。
【図３】本発明の実施の形態に係わるスキャナのセキュリティ方法によりセキュリティを設定する際に操作パネルの表示部に表示される表示内容の説明図。
【符号の説明】
【００２８】
１１…操作パネル、１２…表示部、１３…押しボタンスイッチ
【図１】
2007166128.tif 000004
【図２】
2007166128.tif 000005
【図３】
2007166128.tif 000006